(57)【特許請求の範囲】
【請求項１】
側板の高さ方向の中間位置に横方向に延びる折曲げ線を形成し、前記折曲げ線のところで前記側板を内側に折込んで折畳むようにした折畳み式収納箱において、
前記折曲げ線を有する側板の内側に補助板を回動可能に取付け、この収納箱を使用状態に組立てるときに前記補助板を前記側板の内側に重合わせて直立させるようにし、前記補助板が前記側板に重合わせて直立させるようにして組立てられたときに前記補助板の下端部が底板に当接するようになっており、
前記補助板の上端部がコ字状に折曲げられるとともに、前記側板の上縁の上に前記補助板のコ字状に折曲げられた部分が装着され、しかも前記側板の折曲げ線よりも上方に位置して前記補助板上に形成されている折曲げ線のところで前記補助板の下側の部分が回動可能になっていることを特徴とする折畳み式収納箱。
【請求項２】
前記側板および前記補助板が押出し成形された中空の合成樹脂パネルから構成されることを特徴とする請求項１に記載の折畳み式収納箱。
【発明の詳細な説明】
【０００１】
【発明の属する技術分野】
本発明は折畳み式収納箱に係り、とくに側板の高さ方向の中間位置に横方向に延びる折曲げ線を形成し、前記折曲げ線のところで側板を内側に折込んで折畳むようにした折畳み式収納箱に関する。
【０００２】
【従来の技術】
例えば機械部品を収納するために折畳み式収納箱が用いられている。このような折畳み式収納箱は部品を入れる際に組立てられるとともに、組立てられた収納箱内に部品が収納される。そしてこのような部品が組立てられる組立てラインに運ばれ、ここで部品が取出されるようになる。部品が取出されると中が空になるために、かさばらないように収納箱を折畳むようにしており、これによって空になった収納箱の保管および搬送を合理的に行なうようにしている。
【０００３】
【発明が解決しようとする課題】
このような折畳み式の収納箱は、例えば収納箱の側板の高さ方向の中間位置に横方向に延びる折曲げ線を形成するようにし、この折曲げ線のところで側板を内側に折込んで折畳むようになっている。
【０００４】
このような従来の折畳み式収納箱によれば、側板の折曲げ線の部分に折曲げたくせが残り、組立てても側板が少し内側に折曲がった状態となっており、組立てた状態における収納箱の形態が完全な直方体にはならず、見苦しいという問題があった。また側板の高さ方向の中間位置に横方向に延びる折曲げ線が形成されているために、座屈強度が低く、何段にも積んだときに側板が内側に折曲げられるように変形するという問題がある。
【０００５】
本発明はこのような問題点に鑑みてなされたものであって、直方体状に完全に組立てることができるとともに、座屈荷重が大きく、何段にも積重ねても組立てられた直方体状の形態を維持するようにした折畳み式収納箱を提供することを目的とする。
【０００６】
【課題を解決するための手段】
本発明は、側板の高さ方向の中間位置に横方向に延びる折曲げ線を形成し、前記折曲げ線のところで前記側板を内側に折込んで折畳むようにした折畳み式収納箱において、
前記折曲げ線を有する側板の内側に補助板を回動可能に取付け、この収納箱を使用状態に組立てるときに前記補助板を前記側板の内側に重合わせて直立させるようにし、前記補助板が前記側板に重合わせて直立させるようにして組立てられたときに前記補助板の下端部が底板に当接するようになっており、
前記補助板の上端部がコ字状に折曲げられるとともに、前記側板の上縁の上に前記補助板のコ字状に折曲げられた部分が装着され、しかも前記側板の折曲げ線よりも上方に位置して前記補助板上に形成されている折曲げ線のところで前記補助板の下側の部分が回動可能になっていることを特徴とする折畳み式収納箱に関するものである。
【０００７】
前記側板および前記補助板が押出し成形された中空の合成樹脂パネルから構成されていてよい。
【０００８】
【発明の実施の形態】
図面は本発明の一実施の形態に係る折畳み式収納箱を示すものであって、この収納箱は組立てられた状態において、直方体状をなすとともに、上部が開放された収納箱を構成するようになっている。
【０００９】
このような収納箱は図１に示すように左右の長辺側の側板１１と底板１２とがコ字状に屈曲して連続した状態になっている。そして長辺側側板１１にはその上方から３本の折曲げ線１３、１４、１５が横方向に延びるように形成されている。ここで折曲げ線１３、１５は外側から半切りにしたものであるのに対し、中間の折曲げ線１４は内側から半切りにしたものである。
【００１０】
底板１２の長さ方向の両端部にはそれぞれ枠体１８が取付けられている。底板１２の端部が枠体１８の条溝１９内に挿入された状態でリベットによって固定されている。しかもこの枠体１８は上部に枠体１８の長さ方向に延びるロック溝２０を備えている。
【００１１】
上記３本の折曲げ線１３〜１５を有する長辺側側板１１の内側にはこの側板１１と重合わさるように補助板２４が取付けられるようになっている。補助板２４はその上端部がコ字状折曲げ部２５に構成されるとともに、このような折曲げ部２５が側板１１の上縁を包むようにして側板１１の上端に取付けられるようになっている。また補助板２４には外側から半切りされた折曲げ線２７が形成されている。
【００１２】
これに対して短辺側側板３１はその上下の部分がそれぞれ外側へ折返された折返し片３２、３を一体に備えている。また短辺側側板３１には横長開口３４がそのほぼ中央部に形成されるとともに、このような横長開口３４に取手３５が装着されるようになっている。また短辺側側板３１には横方向に延びる折曲げ線３６が形成されている。この折曲げ線３６は外側から半切りにされたものであって、短辺側側板３１を内側へ折込むようにしている。
【００１３】
短辺側側板３１の下側部には枠体３９が取付けられている。すなわち短辺側側板３１と折返し片３３とが枠体３９の条溝４０に挿入された状態でリベット止めされており、しかもこのような枠体３９の下端側の部分には枠体３９の長さ方向に延びる係止用突条４１が形成されている。
【００１４】
長辺側側板１１と短辺側側板３１とを結合するために、４つのコーナ部材４５が用いられている。すなわちコーナ部材４５はその下面に直角に屈曲した溝４６を備え、この溝４６によって補助板２４の折曲げ部２５が取付けられている長辺側側板１１の側端側の上部と短辺側側板３１の折返し片３２を備える側端側の上部とをそれぞれ収納し、この状態でリベット止めするようにしている。またコーナ部材４５には受け面４７が形成され、何段にも積重ねたときに上側の収納箱の底部を受けるようにしている。そして上側の収納箱が安定に保持されるようにコーナ部材４５には側壁４８が取付けられている。
【００１５】
なおここで長辺側側板１１、底板１２、補助板２４、短辺側側板３１は何れも図４および図５に示すような中空合成樹パネル５５から構成されている。このパネル５５は例えばポリプロピレン樹脂の押出し成形によって成形されたものであって、押出し方向に延びて形成されている多数の中空部分５６を備える中空パネルになっている。
【００１６】
これに対して枠体１８、３９は射出成形あるいは押出し成形された成形体から構成されている。またコーナ部材４５および取手３５は射出成形された成形体から構成されている。
【００１７】
次にこのような収納箱の組立てについて説明する。使用する場合には、図２、図６、および図８に示すようにこの収納箱を直方体状に組立てる。この場合には長辺側側板１１を折曲げ線１３、１４、１５のところで図６に示すように真直ぐにする。しかもこのような長辺側側板１１の内側の補助板２４を長辺側側板１１に重合わせるとともに、このような補助板２４の先端部を底板１２の上面であってコーナの部分に当接させる。
【００１８】
また短辺側側板３１を図８に示すように折曲げ線３６のところで真直ぐにし、このような短辺側側板３１の先端部に取付けられている枠体３９の係止用突条４１を底板１２の両端に取付けられている枠体１８のロック溝２０に挿入してロックする。これによって図２に示すように直方体状に組立てられることになる。
【００１９】
このような収納箱内に機械部品等の各種の物品が収納されるようになる。またこのような収納箱を複数段に積む場合には、上側の収納箱の底部をコーナ部材４５の受け面４７によって受けるようにし、側壁４８によって上側の収納箱が横にずれるのが防止される。
【００２０】
これに対してこの収納箱を空にした場合には、図３、図７、および図９に示すように折畳むようにしている。このときには長辺側側板１１を折曲げ線１３、１４、１５のところで図７に示すように折曲げて内側へ折込む。また同時に補助板２４については折曲げ線２７のところで内側へ折込むようにしている。
【００２１】
また短辺側側板３１はその先端部に取付けられている枠体３９の係止用突条４１を枠体１８のロック溝２０から離脱させるようにする。そしてこの短辺側側板３１を折曲げ線３６のところで内側へ折曲げることになる。
【００２２】
図３は折畳まれた状態の収納箱の形態を示しており、このように折畳むことによってその高さ方向の寸法を小さくすることが可能になる。従って空の状態でこの収納箱を保管したり運ぶ際に、スペースを要することがなく、効率的に保管したり輸送することが可能になる。従ってこのような収納箱は、機械部品等を収納して運ぶための通い箱として用いて好適なものである。
【００２３】
このような折畳み式収納箱の特徴は、とくに長辺側側板１１の内側に配した補助板２４にある。このような補助板２４を設けることによって、とくにこの収納箱を組立てた場合に長辺側側板１１の内側に補助板２４が重合うようにして直立することになり、このために補助板２４の作用によってこの収納箱を組立てたときに直方体状の形態を確実に維持することが可能になり、組立て作業が容易になる。また補助板２４によって両側の長辺側側板１１の半切りされた折曲げ線１３、１４、１５の保護がなされるとともに、部品を収納した場合における長辺側側板１１の外側への変形、すなわち胴ぶくれが防止される。
【００２４】
また長辺側側板１１の内側に直立するように補助板２４が重合わされるとともに、補助板２４の先端部が底板１２の上面に接触しているために、荷重を長辺側側板１１と補助板２４とによって受けることが可能になる。従って耐えられる座屈荷重あるいは耐圧が増加することになり、このような収納箱を何段にも積んだときの側板１１の変形が防止されるようになる。
【００２５】
また補助板２４の上端をコ字状に折曲げてコ字状折曲げ部２５を形成するとともに、この折曲げ部２５によって長辺側側板１１の上縁部を保護するようにしているために、長辺側側板１１の上縁に成形体から成るフレームを取付ける必要がなくなって使用部材の削減を図ることが可能になる。
【００２６】
またこのような折畳み式収納箱は、長辺側側板１１、底板１２、補助板２４、短辺側側板３１を何れも図４および図５に示すような中空合成樹脂パネル５５によって成形するようにしている。従って枠体１８、３９および取手３５と共通の合成樹脂材料、例えばポリプロピレン樹脂を使用することが可能になり、これによってリサイクルを支障なく行なうことが可能になる。
【００２７】
【発明の効果】
以上のように本発明は、折曲げ線を有する側板の内側に補助板を回動可能に取付け、この収納箱を使用状態に組立てるときに補助板を側板の内側に重合わせて直立させるようにしたものである。
【００２８】
従ってこのような折畳み式収納箱によれば、とくに側板の内側に重ねて直立するように配される補助板によって、組立てたときに直方体状の形態を維持することが可能になるとともに、耐圧を高め、座屈強度を向上させることが可能になる。また側板の内容物による変形、すなわち胴ぶくれが防止されることになる。
【００２９】
さらに本発明においては、補助板の上端部がコ字状に折曲げられるとともに、側板の上縁の上に補助板のコ字状に折曲げられた部分が装着され、しかも側板の折曲げ線よりも上方に位置して補助板上に形成されている折曲げ線のところで補助板の下側の部分が回動可能になっており、補助板が側板に重合わせて直立させるようにして組立てられたときに補助板の下端部が底板に当接するようにしているために、補助板によって高さ方向の荷重を分担することが可能になるとともに、側板の上縁を保護することによって、側板の上縁にフレーム等を取付けることを必要としなくなる。
【００３０】
側板および補助板が押出し成形された中空の合成樹脂パネルから構成される場合には、合成樹脂製の折畳み式収納箱を提供することが可能になる。このような収納箱は通い箱として用いて好適なものである。
【図面の簡単な説明】
【図１】折畳み式収納箱の分解斜視図である。
【図２】同組立て斜視図である。
【図３】折畳まれた状態の斜視図である。
【図４】中空合成樹脂パネルの斜視図である。
【図５】同拡大縦断面図である。
【図６】組立てた状態の縦断面図である。
【図７】折畳まれた状態の縦断面図である。
【図８】組立てた状態の縦断面図である。
【図９】折畳まれた状態の縦断面図である。
【符号の説明】
１１  長辺側側板
１２  底板
１３、１４、１５  折曲げ線
１８  枠体
１９  条溝
２０  ロック溝
２４  補助板
２５  コ字状折曲げ部
２６  折返し片
２７  折曲げ線
３１  短辺側側板
３２  折返し片（上）
３３  折返し片（下）
３４  横長開口
３５  取手
３６  折曲げ線
３９  枠体
４０  条溝
４１  係止用突条
４５  コーナ部材
４６  溝
４７  受け面
４８  側壁
５５  中空合成樹脂パネル
５６  中空部分
【図１】
0003726983.tif 000002
【図２】
0003726983.tif 000003
【図３】
0003726983.tif 000004
【図４】
0003726983.tif 000005
【図５】
0003726983.tif 000006
【図６】
0003726983.tif 000007
【図７】
0003726983.tif 000008
【図８】
0003726983.tif 000009
【図９】
0003726983.tif 000010